(57)【要約】【課題】輸送や運搬が容易で、かつ設置現場での組立て工数を削減しうる物品陳列棚を提供する。【解決手段】下端に前方を向くベース脚３を有する左右１対の支柱４、７の上下複数個所を、横連結杆５により連結することによりフレーム１を形成し、該フレーム１の上部を前方に折曲可能とする。【選択図】        図２
2004202066.tif 000002
【特許請求の範囲】
【請求項１】
下端に前方を向くベース脚を有する左右１対の支柱の上下複数個所を、横連結杆により連結することによりフレームを形成し、該フレームの上部を前方に折曲可能としたことを特徴とする物品陳列棚。
【請求項２】
前方に折曲される上部フレームにおける左右の支柱の下端に、前記上部フレームの下方の下部フレームにおける左右の支柱の上端部内に上下に摺動可能に嵌合される連結部材を固着するとともに、該連結部材に形成された左右方向に開口する上下方向を向くガイド溝に、前記下部フレームの支柱の上端部に貫設した左右方向を向くピンを挿通することにより、前記上部フレームを引き上げて前方に折曲しうるようにしてなる請求項１記載の物品陳列棚。
【請求項３】
上部フレームを前方にほぼ９０°回動したとき、連結部材の下端適所が下部フレームの支柱の上端前部に当接して、前記上部フレームをほぼ水平位置に保持しうるようにした請求項２記載の物品陳列棚。
【請求項４】
水平位置に折曲した上部フレームの支柱の下面と、下部フレームの支柱の前面とに、筋交いを着脱可能に取付けてなる請求項３記載の物品陳列棚。
【請求項５】
上部フレームの支柱の下面と、下部フレームの支柱の前面とに係合孔を設けるとともに、筋交いにおける前記両支柱との対向面に、前記各係合孔に着脱可能に嵌合する係止突部を設けた請求項４記載の物品陳列棚。
【発明の詳細な説明】
【０００１】
【発明の属する技術分野】
本発明は、例えばスーパーマーケットやホームセンター等の店舗において使用される物品陳列棚に関する。
【０００２】
【従来の技術】
店舗等で使用される物品陳列棚は、その構成部材を部品として工場や倉庫より出荷し、設置現場において組立てる場合と、工場等で予め完成品まで組み立ててから出荷する場合とがある。
【０００３】
前者の場合は、運搬や輸送コストが低減する利点はあるが、設置現場での組立てに多くの時間や人手を要し、組立てコストが増大する。
また、後者の場合には、組立てコストが低減する反面、陳列棚が嵩張るため、運搬や輸送コストが増大する。
【０００４】
これらの問題を解決するものとして、左右の側板、天井部及び底板部を、予めヒンジを介して背板に折り畳み可能に取付けておき、設置現場において上記側板や天井部等を引き起こして陳列棚の外枠を形成したのち、背板の前面に係止したブラケットに棚板を取付けて、陳列棚を容易に組立てうるようにしたものがある（例えば特許文献１参照）。
【０００５】
【特許文献１】
特開２０００−４９９９号公報
【０００６】
【発明が解決しようとする課題】
上記特許文献１に記載されている従来の陳列棚では、外枠（フレーム）を構成している背板や側板は、折り畳み可能となっていないため、上下寸法の大きな陳列棚の場合、重心位置が高くなり、レイアウト変更等により組立て後の陳列棚を移動したり、運搬したりする際に注意を要する。
【０００７】
また、天井部や底板部は、背板と重合した状態に折り畳まれて運搬されるため、陳列棚に物品を載置した状態で運搬することはできない。
【０００８】
本発明は、上記問題点に鑑みてなされたもので、フレームの上部を前方に折曲可能とすることにより、輸送や組立てを容易とするとともに、物品を載置した状態でも運搬しうるようにした、物品陳列棚を提供することを目的としている。
【０００９】
【課題を解決するための手段】
本発明によると、上記課題は、次のようにして解決される。
（１）下端に前方を向くベース脚を有する左右１対の支柱の上下複数個所を、横連結杆により連結することによりフレームを形成し、該フレームの上部を前方に折曲可能とする。
【００１０】
（２）上記(１)項において、前方に折曲される上部フレームにおける左右の支柱の下端に、前記上部フレームの下方の下部フレームにおける左右の支柱の上端部内に上下に摺動可能に嵌合される連結部材を固着するとともに、該連結部材に形成された左右方向に開口する上下方向を向くガイド溝に、前記下部フレームの支柱の上端部に貫設した左右方向を向くピンを挿通することにより、前記上部フレームを引き上げて前方に折曲しうるようにする。
【００１１】
（３）上記(２)項において、上部フレームを前方にほぼ９０°回動したとき、連結部材の下端適所が下部フレームの支柱の上端前部に当接して、前記上部フレームをほぼ水平位置に保持しうるようにする。
【００１２】
（４）上記(３)項において、水平位置に折曲した上部フレームの支柱の下面と、下部フレームの支柱の前面とに、筋交いを着脱可能に取付ける。
【００１３】
（５）上記(４)項において、上部フレームの支柱の下面と、下部フレームの支柱の前面とに係合孔を設けるとともに、筋交いにおける前記両支柱との対向面に、前記各係合孔に着脱可能に嵌合する係止突部を設ける。
【００１４】
【発明の実施の形態】
以下、本発明の実施形態を、図面に基づいて説明する。
図１は、本発明の物品陳列棚の正面図、図２は、同じく側面図を示すもので、物品陳列棚のフレーム(１)は、前後両端部（以下、方向は図２の左方を前として説明する）の下面にキャスタ(２)(２)が取付けられた左右１対の前方を向くベース脚(３)(３)と、それらの後端上面に立設された左右１対の長寸の支柱(４)(４)と、両支柱(４)の上端部と下端部の対向面同士を連結している上下２個の横連結杆(５)とからなる下部フレーム(６)と、この下部フレーム(６)における両支柱(４)の上端に前向きに折曲可能として取付けられた、左右１対の短寸の支柱(７)(７)と、その上下両端の対向面同士を連結している上下２個の横連結杆(５)とからなる枠状の上部フレーム(８)との２分割構造をなしている。
【００１５】
図４〜図６に拡大して示すように、上部フレーム(８)は、下部フレーム(６)の上端に、次のようにして取付けられている。
【００１６】
下部フレーム(６)の支柱(４)と上部フレーム(８)の支柱(７)は、前後左右の寸法が同形の角筒状断面をなし、互いの対向面は開口されている。
【００１７】
上部フレーム(８)の両支柱(７)の下端部内には、連結金具(９)における上半部の平面視後向きコ字状断面をなす基部(9a)の上端部が嵌合され、溶接等により固着されている。
【００１８】
連結金具(９)の下半部、すなわち上記基部(9a)の左右両側片の後方寄りの下端には、下端部が前下方に鈍角状に折曲された左右１対の足片(9b)(9b)が、下部フレーム(６)の支柱(４)の上端部内に嵌合しうるように連設され、両足片(9b)には、上半部が上下方向を向き、下半部が前下方に傾斜する、側面視ほぼ逆くの字状のガイド溝(10)が形成されている。
両足片(9b)の上端部の後向き凹入部の前端縁には、補強板(11)が固定されている。
【００１９】
図４及び図５に示すように、連結金具(９)における基部(9a)の下端部と両足片(9b)を、下部フレーム(６)の支柱(４)の上端部に嵌合したのち、支柱(４)の上端部に貫設した左右方向を向くピン(12)を、両足片(9b)のガイド溝(10)の上端部に挿通することにより、上部フレーム(８)の支柱(７)は、その下端を下方の支柱(４)の上端と当接させた状態で垂直に支持されている。
【００２０】
図４の状態から上部フレーム(８)を引き上げると、ピン(12)が両足片(9b)のガイド溝(10)に沿ってその下端まで相対的に移動することにより、図６に示すように、上部フレーム(８)を前向きに回動させることができ、かつ両足片(9b)の補強板(11)の下面が、下方の支柱(４)の前部側の上端と当接することにより、最大９０°まで回動させて、上部フレーム(８)をほぼ水平とすることができる。
【００２１】
このようにして折り曲げた上部フレーム(８)に、物品を載置する際には、下部フレーム(６)の左右の支柱(４)の上端部と上部フレーム(８)の支柱(７)との対向面側の直角をなす隅部に、側面視ほぼ直角三角形をなす筋交い(13)を取付けて、上部フレーム(８)の物品の支持強度を高めるようにするのがよい。
【００２２】
上記筋交い(13)は、図７にも示すように、側面視倒立Ｌ字状の支持金具(14)における前向水平片(14a)と下向片(14b)との遊端部の外側端に、ほぼ４５°に傾斜する補強板(15)を、その上端部と下端部とがそれぞれ上方と後方に若干突出するようにして、溶接により固着して形成されている。
【００２３】
上記前向水平片(14a)の上面と下向片(14b)の後面には、それぞれ２個ずつの係止ピン(16)(16)が突設されている。
【００２４】
筋交い(13)を取付けるには、補強板(15)の上下の突出端部の内面を、支柱(４)及び(７)の外側面に当接させるようにして、前向水平片(14a)と下向片(14b)を、両支柱(４)(７)の前面と下面とに対向させ、両支柱(４)(７)の前面（図１参照）に予め穿設しておいた２個ずつの係合孔(17)(17)に、前向水平片(14a)と下向片(14b)の係止ピン(16)を嵌合させればよい。
【００２５】
図１及び図２に示すように、下部フレーム(６)の左右のベース脚(３)の上部と、その上方の左右の支柱(４)の対向面に後端が前向きとして固着され、かつ前端がベース脚(３)の前端に立設した支持杆(18)に固着された左右１対の支持板(19)(19)の上部には、移動棚板(20)(21)が前方に引出し可能として取付けられている。
【００２６】
下方の移動棚板(20)の前端部下面は、下端にキャスタ(22)を有する左右１対の支持脚(23)(23)により、床面により支持され、また後端部下面は、図３に示すように（左右対称であるため左方のみ図示する）、倒立Ｌ字状の左右１対のブラケット(24)に、左右方向を向く軸回りに回転可能に枢支されたローラ(25)を、ベース脚(３)の内端面に前後方向を向いて固着された、正面視内向きコ字状のガイドレール(26)に嵌挿することにより、ベース脚(３)上に前後方向に移動可能に支持されている。
【００２７】
上方の移動棚板(21)も、その下面の前後左右の４個所が、上記と同様のブラケット(24)に枢支したローラ(25)を、左右の支持板(19)の対向面に固着した、上記と同様のガイドレール(26)に嵌挿することにより、支持板(19)上に前後移動可能に支持されている。
なお、上方の移動棚板(21)の前方への引出し寸法は、下方の移動棚板(20)よりも小としてある。
【００２８】
ベース脚(３)、支柱(４)、支持杆(18)、及び支持板(19)により囲まれた左右両側の方形をなす開口面は、パンチングパネル(27)により閉塞されている。
【００２９】
また、下部フレーム(６)における左右の支柱(４)間の後端面も、パンチングパネル(27)により閉塞されている。
下部フレーム(６)のほぼ上半部の左右の支柱(４)間の前端部には、ワイヤネット(28)が張設されている。
【００３０】
ワイヤネット(28)の直下の両支柱(４)の前面には、前方を向く棚板ブラケット(29)の後端が、溶接等により固着され、両ブラケット(29)上には、前後寸法が移動棚板(21)よりも若干短寸の棚板(30)が取付けられている。
【００３１】
図１に示すように、上部フレーム(８)が起立状態にあるとき、左右の支柱(７)の上端部に、商品名や宣伝広告用の表示板(31)等を取付けるための倒立Ｌ字状のポール(32)を、着脱可能に嵌合しうるようになっている。
【００３２】
以上説明したように、上記実施形態の物品陳列棚においては、そのフレーム(１)が、下部フレーム(６)と上部フレーム(８)との２分割構造をなし、かつ上部フレーム(８)は、下部フレーム(６)に対し、前方に水平に折り曲げ可能となっているため、上下寸法の大きなフレーム(１)でも、上部フレーム(８)を折曲し、全高を低くして輸送や運搬が可能となる。
【００３３】
従って、工場等において陳列棚をほぼ完成品まで組立てて出荷することができるようになり、設置現場での組立て工数が大幅に削減される。また、重心を低くすることができるため、レイアウトを変更したりする際の移動も安全かつ容易に行いうる。
【００３４】
さらに、水平に折り曲げた上部フレーム(８)の上面に段ボール箱等を載置したり、また上部フレーム(８)の上面に棚板を横架したりすれば、それに種々の物品を載置した状態で輸送したり運搬したりすることもできる。
【００３５】
下部フレーム(６)に設けた上下の移動棚板(20)(21)は、使用時のみ前方に引き出し、不使用時には、ベース脚(３)より前方に突出させずに後方に移動させておくことができるので、輸送や運搬時にそれらが邪魔になることはない。
【００３６】
なお、上記実施形態では、上部フレーム(８)を、前方にほぼ９０°まで回動しうるようにしているが、ほぼ１８０°まで回動させ、下部フレーム(６)の前面と重合させることもある。
【００３７】
【発明の効果】
請求項１記載の発明によれば、フレームの上端部を前方に折り曲げることができるため、上下寸法の大きなフレームを有する陳列棚であっても、全高を低くして輸送したり、運搬したりすることができる。
従って、フレームを工場等で予め組立てて出荷することが可能となり、設置現場での陳列棚の組立て工数が大幅に削減される。
また、重心を低くして運搬しうるため、レイアウトを変更したりするに際し、陳列棚の移動も安全かつ容易に行いうる。
【００３８】
請求項２記載の発明によれば、上部フレームの支柱は、その下端の連結部材が下部フレームの支柱の上端部内に嵌合され、上方に一旦引き上げてから前方に折曲されるので、上部フレームが使用時に妄りに前方に折り曲がることはない。
【００３９】
請求項３記載の発明によれば、折り曲げた上部フレームの上面に物品を載置することが可能となり、かつこの状態で陳列棚を輸送したり運搬したりすることができる。
【００４０】
請求項４記載の発明によれば、水平に折り曲げた上部フレームの支持強度が大となるので、その上面に棚板を取付けるなどして、多くの物品又は重量のある物品を載置することができるようになる。
【００４１】
請求項５記載の発明によれば、筋交いの取付け、取外しを極めて簡単に行うことができる。
【図面の簡単な説明】
【図１】本発明の物品陳列棚の正面図である。
【図２】同じく、側面図である。
【図３】下方の移動棚板のベース脚への支持形態を示す左側部の拡大正面図である。
【図４】上部フレームと下部フレームにおける支柱の連結部を示し、上部フレームが起立している状態の一部切欠拡大側面図である。
【図５】図４のIＶ−IＶ線の拡大横断平面図である。
【図６】上部フレームを水平位置まで折曲し、下部フレームとの間に筋交いを取付けた状態の要部の拡大側面図である。
【図７】筋交いの斜視図である。
【符号の説明】
(１)フレーム
(２)キャスタ
(３)ベース脚
(４)支柱
(５)横連結杆
(６)下部フレーム
(７)支柱
(８)上部フレーム
(９)連結金具（連結部材）
(9a)基部
(9b)足片
(10)ガイド溝
(11)補強板
(12)ピン
(13)筋交い
(14)支持金具
(14a)前向水平片
(14b)下向片
(15)補強板
(16)係止ピン
(17)係合孔
(18)支持杆
(19)支持板
(20)(21)移動棚板
(22)キャスタ
(23)支持脚
(24)ブラケット
(25)ローラ
(26)ガイドレール
(27)パンチングパネル
(28)ワイヤネット
(29)棚板ブラケット
(30)棚板
(31)表示板
(32)ポール
【図１】
2004202066.tif 000003
【図２】
2004202066.tif 000004
【図３】
2004202066.tif 000005
【図４】
2004202066.tif 000006
【図５】
2004202066.tif 000007
【図６】
2004202066.tif 000008
【図７】
2004202066.tif 000009